(57)【要約】【課題】画面共有の相手端末を簡便に認証し特定するとともに、特定した端末と通信可能に接続された機器とも画面共有が可能な、画面共有端末を提供する。【解決手段】画面共有を行う画面共有端末１０と通信端末５０との間で、通話網４を介した通話の受発信を初めとする認証によって端末を相互に簡便に特定し、更に、受信した画面データを通信端末５０に転送させることで、通信端末５０と通信可能に接続された電子機器１００を利用しての画面共有が可能となる。【選択図】図１
2014215778.tif 000002
【特許請求の範囲】
【請求項１】
一以上の通信端末と通信可能に接続され、前記通信端末と画面共有を行うための画面共有端末であって、
前記通信端末との間で、画面の共有に係る通信を確立するための認証を行う認証手段と、
前記通信端末を利用するユーザが所持する、当該通信端末と通信可能に接続された他の電子機器の一覧を取得する電子機器一覧取得手段と、
当該通信端末、又は前記取得した電子機器の一覧から、画面を共有する端末の選択を受付ける画面共有端末選択手段と、
前記選択を受け付けた通信端末、又は電子機器との間で、前記確立した通信を用いて画面の共有を開始する画面共有開始手段と、
を備える画面共有端末。
【請求項２】
前記開始された画面共有の共有状態を、音声によって通知する共有状態通知手段と、
を備える請求項１に記載の画面共有端末。
【請求項３】
前記認証手段は、前記通信端末に対して、通話発信による電話番号で特定される相手により認証を実行し、前記画面共有開始手段は、前記通信端末又は前記電子機器に対して、当該画面共有端末の画面を送信する、請求項１又は２に記載の画面共有端末。
【請求項４】
一以上の通信端末と通信可能に接続され、前記通信端末と画面共有を行うための画面共有端末が実行する画面共有方法であって、
前記通信端末との間で、画面の共有に係る通信を確立するための認証を行うステップと、
前記通信端末を利用するユーザが所持する、当該通信端末と通信可能に接続された他の電子機器の一覧をステップと、
当該通信端末、又は前記取得した電子機器の一覧から、画面を共有する端末の選択を受付けるステップと、
前記選択を受け付けた通信端末、又は電子機器との間で、前記確立した通信を用いて画面の共有を開始するステップと、
を備える画面共有方法。
【請求項５】
一以上の通信端末と通信可能に接続され、前記通信端末と画面共有を行うための画面共有端末に、
前記通信端末との間で、画面の共有に係る通信を確立するための認証を行うステップ、
前記通信端末を利用するユーザが所持する、当該通信端末と通信可能に接続された他の電子機器の一覧をステップ、
当該通信端末、又は前記取得した電子機器の一覧から、画面を共有する端末の選択を受付けるステップ、
前記選択を受け付けた通信端末、又は電子機器との間で、前記確立した通信を用いて画面の共有を開始するステップ、
を実行させるための画面共有端末用プログラム。
【発明の詳細な説明】
【技術分野】
【０００１】
本発明は、他の端末と画面の共有を行う画面共有端末、画面共有方法、及び、画面共有端末用プログラムに関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
また、サーバが提供するサービスではなく、スマートフォン単独でも、様々な機能がそれ自体に搭載されている。したがって、ユーザは、搭載されている全ての機能を熟知するには時間がかかることが多い。例えば、ユーザが所望する機能が、スマートフォンに搭載されていても、その機能を設定する方法が不明であるため、ユーザがその機能を活用することができないといった問題も生じている。
【０００４】
したがって、このような高度なＷｅｂサービスや、高度なスマートフォンの機能を最大限に利用するには、スマートフォンに対する設定操作や機能を、ユーザは熟知する必要がある。さらに、操作に不慣れなユーザが、端末に対して、初めての設定を行うと、削除すべきでない設定情報を削除してしまったり、適切でない設定を行うことでエラーを発生させてしまったりする場合も多い。
【０００５】
このような課題に対して、ユーザの端末に対して、システムからリモートサポート（遠隔保守）を行うことで、ユーザの端末を遠隔から設定したり、遠隔からユーザを指導したりする方法が知られている。例えば、特許文献１では、サポート対象となる各クライアントの画面情報をサーバ側で取得し、サーバでこの画面情報を、常時、一覧表示することで、クライアントに対するサポート及び監視の効率を向上させることが開示されている。
【先行技術文献】
【特許文献】
【０００６】
【特許文献１】特開２００３−６０６２号公報
【発明の概要】
【発明が解決しようとする課題】
【０００７】
しかしながら、特許文献１に記載の手法では、クライアントとサーバは相互に接続するため、ＩＰアドレスを予め知っている必要がある。更に、近年ではリモートサポートを提供する企業だけでなく、ユーザ同士でリモートサポートや画面共有を行う場面が増えており、予め定められたドメインやＩＰアドレスへアクセスする従来の手法では足りず、画面共有を行う端末同士が、接続のために互いの端末を簡便に特定する要請が増している。
【０００８】
本発明は、これらの課題に鑑み、画面共有を行う端末同士で、通話の受発信を初めとする認証によって端末を相互に簡便に特定し、更に、受信した画面データを転送させることで通信可能に接続された他の電子機器を利用しての画面共有が可能な画面共有端末、画面共有方法、及び、画面共有端末用プログラムを提供することを目的とする。
【課題を解決するための手段】
【０００９】
本発明では、以下のような解決手段を提供する。
【００１０】
第１の特徴に係る発明は、一以上の通信端末と通信可能に接続され、前記通信端末と画面共有を行うための画面共有端末であって、
前記通信端末との間で、画面の共有に係る通信を確立するための認証を行う認証手段と、
前記通信端末を利用するユーザが所持する、当該通信端末と通信可能に接続された他の電子機器の一覧を取得する電子機器一覧取得手段と、
当該通信端末、又は前記取得した電子機器の一覧から、画面を共有する端末の選択を受付ける画面共有端末選択手段と、
前記選択を受け付けた通信端末、又は電子機器との間で、前記確立した通信を用いて画面の共有を開始する画面共有開始手段と、
を備える画面共有端末を提供する。
【００１１】
第１の特徴に係る発明によれば、一以上の通信端末と通信可能に接続され、前記通信端末と画面共有を行うための画面共有端末は、前記通信端末との間で、画面の共有に係る通信を確立するための認証を行い、前記通信端末を利用するユーザが所持する、当該通信端末と通信可能に接続された他の電子機器の一覧を取得し、当該通信端末、又は前記取得した電子機器の一覧から、画面を共有する端末の選択を受付け、前記選択を受け付けた通信端末、又は電子機器との間で、前記確立した通信を用いて画面の共有を開始する。
【００１２】
第１の特徴に係る発明は、画面共有端末のカテゴリであるが、画面共有方法及び、画面共有端末用プログラムであっても同様の作用、効果を奏する。
【００１３】
第２の特徴に係る発明は、前記開始された画面共有の共有状態を、音声によって通知する共有状態通知手段と、
を備える第１の特徴に係る発明である画面共有端末を提供する。
【００１４】
第２の特徴に係る発明によれば、第１の特徴に係る発明である画面共有端末は、前記開始された画面共有の共有状態を、音声によって通知する。
【００１５】
第３の特徴に係る発明は、
前記認証手段は、前記通信端末に対して、通話発信による電話番号で特定される相手により認証を実行し、前記画面共有開始手段は、前記通信端末又は前記電子機器に対して、当該画面共有端末の画面を送信する、第１の特徴に係る発明又は第２の特徴に係る発明に記載の画面共有端末を提供する。
【００１６】
第３の特徴に係る発明によれば、第１又は第２のいずれかの特徴に係る発明である画面共有端末は、前記通信端末に対して、通話発信による電話番号で特定される相手により認証を実行し、前記通信端末又は前記電子機器に対して、当該画面共有端末の画面を送信する。
【００１７】
第４の特徴に係る発明は、
一以上の通信端末と通信可能に接続され、前記通信端末と画面共有を行うための画面共有端末が実行する画面共有方法であって、
前記通信端末との間で、画面の共有に係る通信を確立するための認証を行うステップと、
前記通信端末を利用するユーザが所持する、当該通信端末と通信可能に接続された他の電子機器の一覧をステップと、
当該通信端末、又は前記取得した電子機器の一覧から、画面を共有する端末の選択を受付けるステップと、
前記選択を受け付けた通信端末、又は電子機器との間で、前記確立した通信を用いて画面の共有を開始するステップと、
を備える画面共有方法を提供する。
【００１８】
第５の特徴に係る発明は、
一以上の通信端末と通信可能に接続され、前記通信端末と画面共有を行うための画面共有端末に、
前記通信端末との間で、画面の共有に係る通信を確立するための認証を行うステップ、
前記通信端末を利用するユーザが所持する、当該通信端末と通信可能に接続された他の電子機器の一覧をステップ、
当該通信端末、又は前記取得した電子機器の一覧から、画面を共有する端末の選択を受付けるステップ、
前記選択を受け付けた通信端末、又は電子機器との間で、前記確立した通信を用いて画面の共有を開始するステップ、
を実行させるための画面共有端末用プログラムを提供する。
【発明の効果】
【００１９】
本発明によれば、画面共有を行う端末同士で、通話の受発信を初めとする認証によって端末を相互に簡便に特定し、更に、受信した画面データを転送させることで通信可能に接続された他の電子機器を利用しての画面共有が可能となる。
【図面の簡単な説明】
【００２０】
【図１】図１は、画面共有システム１の概要を説明するための概要図である。
【図２】図２は、画面共有システム１の全体構成図である。
【図３】図３は、画面共有端末１０、通信端末５０、電子機器１００の機能ブロック図である。
【図４】図４は、画面共有端末１０、通信端末５０、電子機器１００が実行する画面共有処理を示すフローチャート図である。
【図５】図５は、画面を共有する端末の選択を受け付ける画面の一例である。
【図６】図６は、ネットワークマップとして表示された、画面を共有する端末の選択を受け付ける画面の一例である。
【図７】図７は、画面共有を行なっている最中の画面共有端末１０の一例である。
【発明を実施するための形態】
【００２１】
以下、本発明を実施するための最良の形態について図を参照しながら説明する。なお、これはあくまでも一例であって、本発明の技術的範囲はこれに限られるものではない。
【００２２】
［画面共有システム１の概要］
図１は、本発明の好適な実施形態である画面共有システム１の概要を説明するための概要図である。画面共有システム１は、画面共有端末１０、通信端末５０、電子機器１００ａ，ｂ（以下、明示しない限りは単に「１００」とする）、公衆回線網３（インターネット網や第３世代、第４世代通信網など）、電話網４、ＬＡＮ（Ｌｏｃａｌ  Ａｒｅａ  Ｎｅｔｗｏｒｋ）５から構成される。
【００２３】
初めに、画面共有端末１０は、画面共有を行う端末を特定する認証のため、通信端末５０に通話を発信する（ステップＳ０１）。ここで、画面共有端末１０による画面共有を行う相手端末の特定及び認証の方法は、通話に限られず、公衆回線網３を利用した通信等であってよい。本実施例では、通信端末５０が着信し通話を開始することで、所定のアプリケーションが立ち上がり、以下の画面共有の手続きを開始する。
【００２４】
次に、通信端末５０は、通信端末５０と通信可能に接続された電子機器１００を検出し、その一覧を取得する。そして、画面共有端末１０に対してその一覧を送信する（ステップＳ０２）。
【００２５】
電子機器１００の一覧を受信した画面共有端末１０は、通信端末５０、又は電子機器１００の一覧から、画面の共有を行う端末の選択を受け付ける（ステップＳ０３）。ここでは例として、図１に示すように、通信端末５０と通信可能に接続されたパソコン１００ａを、画面の共有を行う端末として選択したものとする。
【００２６】
最後に、画面共有端末１０は、選択された電子機器１００に対して画面の共有を開始する（ステップＳ０４）。ここで、画面共有端末１０は、パソコン１００ａと直接通信を行なってもよいし、通信端末５０を一旦経由してもよい。後者の場合には、パソコン１００ａが直接公衆回線網３に接続されていなくとも、画面の共有を行うことができる。
【００２７】
以上が、画面共有システム１の概要である。
【００２８】
［画面共有システム１のシステム構成］
図２は、本発明の好適な実施形態である画面共有システム１のシステム構成図である。ここで、画面共有端末１０と通信端末５０は通話機能を備え、電話網４を介して通話可能に接続されている。また、画面共有端末１０は、公衆回線網３を介して、通信端末５０と通信可能に接続されている。
【００２９】
通信端末５０、及び各電子機器１００は、ＬＡＮ５を介してそれぞれ通信可能に接続されている。ＬＡＮ５を構成する各端末は、ルータ２０を介して公衆回線網３と通信可能に接続されている。なお、画面共有システム１内の通信は、無線通信、有線通信を問わない。また、画面共有端末１０が公衆回線網３と接続するために、ルータ等のネットワーク機器を介して通信可能であってよい。
【００３０】
画面共有端末１０は、ユーザが画面共有を行うために利用され、ディスプレイを初めとする出力画面、通話機能に加えて後述する機能を備えている、一般的な情報機器や電子機器であってよい。画面共有端末１０は、例えば、携帯電話、スマートフォン、テレビ、コンピュータに加えて、電話機、ネットブック端末、スレート端末、電子書籍端末、電子辞書端末、携帯型音楽プレーヤ、携帯型コンテンツ再生・録画プレーヤ等の一般的な情報家電であってよい。
【００３１】
通信端末５０は、画面共有端末１０と画面共有を行うために利用され、画面共有端末１０と同様に、ディスプレイを初めとする出力画面、通話機能に加えて後述する機能を備えている、一般的な情報機器や電子機器であってよい。
【００３２】
電子機器１００は、ディスプレイを初めとする出力画面を備え、データ通信を行うことが可能な家庭用又は業務用の電子機器であって、例えば、パソコン１００ｃ、テレビ１００ｂ、電話機、コンピュータに加えて、携帯電話、携帯情報端末、スマートフォン１００ａ、ネットブック端末、スレート端末、電子書籍端末、携帯型音楽プレーヤ、オーディオコンポ、コンテンツ再生・録画プレーヤ、プリンタ、ＦＡＸ機、コピー機、スキャナ機、ＭＦＰ（多機能周辺装置、多機能プリンタ）等の情報家電等も含む。
【００３３】
［各機能の説明］
図３は、画面共有端末１０、通信端末５０、及び電子機器１００の機能ブロックと各機能の関係を示す図である。
【００３４】
画面共有端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００３５】
さらに、画面共有端末１０は、入出力部１３として、制御部で制御したデータや画像を出力表示するディスプレイや、音声を再生するスピーカー等から構成される表示部を備え、かつ、利用者からの入力を受付けるタッチパネルやキーボード、マウス等を備える。
【００３６】
画面共有端末１０において、制御部１１が所定のプログラムを読み込むことで、通信部１２と協働して、認証モジュール１４、電子機器一覧取得モジュール１５、画面共有端末選択モジュール１６、画面共有開始モジュール１７を実現する。また、画面共有端末１０において、制御部１１が所定のプログラムを読み込むことで、入出力部１３と協働して、共有状態通知モジュール２４を実現する。
【００３７】
通信端末５０は、同様に、制御部５１として、ＣＰＵ，ＲＡＭ，ＲＯＭ等を備え、通信部５２として、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。また、通信端末５０は、入出力部５３として、制御部で制御したデータや画像を出力表示する表示部を備える。
【００３８】
通信端末５０において、制御部５１が所定のプログラムを読み込むことで、通信部５２と協働して、電子機器検出モジュール５４、画面共有補佐モジュール５５を実現する。また、電子機器１００において、制御部５１が所定のプログラムを読み込むことで、通信部５２、及び入出力部５３と協働して、画面共有モジュール５６を実現する。
【００３９】
電子機器１００は、同様に、制御部１０１として、ＣＰＵ，ＲＡＭ，ＲＯＭ等を備え、通信部１０２として、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。また、電子機器１００は、入出力部１０３として、制御部で制御したデータや画像を出力表示する表示部を備える。
【００４０】
電子機器１００において、制御部１０１が所定のプログラムを読み込むことで、通信部１０２と協働して、機種情報送信モジュール１０４を実現する。また、電子機器１００において、制御部１０１が所定のプログラムを読み込むことで、通信部１０２、及び入出力部１０３と協働して、画面共有モジュール１０５を実現する。
【００４１】
［画面共有処理］
図４は、画面共有端末１０、通信端末５０、及び電子機器１００が実行する画面共有処理のフローチャートである。上述した各装置のモジュールが行う処理について、本処理にて併せて説明する。
【００４２】
はじめに、画面共有端末１０の認証モジュール１４は、画面共有を行う通信端末５０の特定及び認証のため、通信端末５０に対して通話を発信する（ステップＳ１１）。ここで、一つの画面共有端末１０に対して一つの通信端末５０が対応して存在するのではなく、画面共有端末１０から発信可能な複数の電話番号について、それぞれに対応した通信端末５０が存在し、特定及び認証を行うものである。すなわちユーザの行動としては、画面共有を行おうとする相手の端末に対して、通話を発信することにほかならない。
【００４３】
ここで、認証のための通信は通話に限られず、所定のＩＰへの通信や、パスワードによる認証に加え、電子署名されたデータの授受、共通鍵方式といった通信により、通信端末の認証を行なって良い。ここでいう認証とは、画面共有端末１０が画面共有を行うに際し、通信を行う通信端末５０を特定できれば足りる。
【００４４】
また、ここにおいて、画面共有とは、画面共有端末１０の表示部に表示された画面を他の端末の表示部に表示させ、又は他の端末の表示部に表示された画面を画面共有端末１０の表示部に表示させることを指す。
【００４５】
通信端末５０が通話を受信すると（ステップＳ１２）、所定のアプリケーションが起動し、画面共有端末１０と通信端末５０との間に通信が確立される。そして、通信端末５０の電子機器検出モジュール５４は、通信可能に接続された電子機器１００を検出する（ステップＳ１３）。このとき、理論上は公衆回線網３を介して通信可能に接続された電子機器の検出が可能だが、本実施例の場合には同一のローカルネットワークに接続された電子機器１００を検出することで、通信端末５０と所持者を同じくする電子機器１００を検出することが適当である。
【００４６】
本実施例では検出の一例として、ネットワーク上の機器に検出信号を送信することにより電子機器１００を検出するものとする。各電子機器１００は検出信号を受信する（ステップＳ１４）と、機種情報送信モジュール１０４が、当該電子機器１００の型番やメーカーといった機種情報を通信端末５０に対して送信する（ステップＳ１５）。このとき、機種情報には、表示部の有無といった画面共有の可否に係る情報を含めてもよい。また、機種情報が取得できない場合には、プライベートＩＰアドレスを送信する等して、電子機器１００が存在することを通信端末５０に通知してよい。
【００４７】
各電子機器１００から機種情報を受信した通信端末５０の電子機器検出モジュール５４は、電子機器１００の一覧を作成する（ステップＳ１６）。そして、作成した一覧を、画面共有端末１０に対して送信する（ステップＳ１７）。
【００４８】
画面共有端末１０の電子機器一覧取得モジュール１５は、電子機器一覧を受信する（ステップＳ１８）と、画面共有端末選択モジュール１６が、通信端末５０、又は電子機器１００の一覧の中から画面を共有する端末の選択を受け付ける（ステップＳ１９）。
【００４９】
図５は、画面を共有する端末の選択を受け付ける画面の一例である。選択を受け付ける旨のメッセージ６１と、通信端末５０の所持者のユーザ名６２とともに、通信端末５０及び電子機器１００の一覧６３が表示される。ユーザはカーソル６４を画面の共有を行いたい端末に合わせ、決定ボタン６５を押し下げることで、画面の共有を行う端末を選択する。
【００５０】
また、図６は、ネットワークマップとして表示された、画面を共有する端末の選択を受け付ける画面の一例である。通信端末５０や、各電子機器１００が送信した機種情報に基づいてアイコン７０やアイコン７１が表示され、ネットワークマップ上から端末を選択することが可能である。また、機種情報に含まれた表示部の有無等に関する情報を利用することで、状態アイコン７２のように、画面共有を行えるか否かが疑わしい端末に情報を表示することができる。なお、雲型アイコン７３は公衆回線網３と通信可能に接続されていることを表している。
【００５１】
画面の共有を行う端末が選択されると、画面共有端末１０の画面共有開始モジュール１７は、選択された端末との画面の共有を開始する（ステップＳ２０）。具体的には、バッファに展開された表示部に表示されている画面データを、共有を行う端末の情報とともに通信端末５０に送信する。
【００５２】
共有を行う端末として通信端末５０が選択された時は、通信端末５０の画面共有モジュール５６によって、受信した画面データが通信端末５０の表示部に表示され、画面の共有が行われる（ステップＳ２１）。また、通信端末５０ではなく電子機器１００が選択された場合には、画面共有補佐モジュール５５が画面データを中継し、選択された電子機器１００に画面データを送信する。その画面データを受信した電子機器１００の画面共有モジュール１０５は、表示部に画面データを表示することで、画面の共有が行われる（ステップＳ２２）。
【００５３】
なお、画面の共有は必ずしも画面共有端末１０の画面データが送信される必要はなく、画面共有端末１０が他の端末の画面データを受信してもよい。そうした場合、電子機器１００から送信された画面データを、通信端末５０が中継し画面共有端末１０に送信してもよい。
【００５４】
なお、画面の共有は必ずしも画面共有端末１０の画面データが送信される必要はなく、画面共有端末１０が他の端末の画面データを受信してもよい。そうした場合、電子機器１００から送信された画面データを、通信端末５０が中継し画面共有端末１０に送信してもよい。
【００５５】
図７は、画面共有を行なっている最中の画面共有端末１０の一例である。画面共有中である旨のメッセージ８１と、共有中の画面データ８２が示されている。また、初めの認証を通話によって行った場合に、画面共有端末１０を用いて通話中である場合は、その旨が８３によって示されている。更に、表示部は画面の共有中であるので、特に共有ステータスに係るシステムメッセージを表示部に表示するのは望ましくない場合や、通話中で表示部を常に目視できない時のために、画面共有端末１０の共有状態通知モジュール１８は、スピーカー等を通じて共有状態８４を音声によって通知することができる。
【００５６】
以上が、画面共有処理の手順である。
【００５７】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５８】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５９】
１  画面共有システム、３  公衆回線網、４  電話網、１０  画面共有端末、５０  通信端末、１００  電子機器
【図１】
2014215778.tif 000003
【図２】
2014215778.tif 000004
【図３】
2014215778.tif 000005
【図４】
2014215778.tif 000006
【図５】
2014215778.tif 000007
【図６】
2014215778.tif 000008
【図７】
2014215778.tif 000009